(57)【要約】【課題】複数の音楽データを再生する場合に、その音楽データの絶対的な音量レベルが必ずしも一定ではなく、再生時に曲毎に微調整する必要があった。【解決手段】データ読出部２により、記録媒体１から音楽データと、これに対応する相対音量調整パラメータを読み出す。相対音量設定部４は相対音量調整パラメータに基づき音楽データ毎に相対音量データを設定する。音楽データは、デコーダ３により復号処理を受けた後、音量調整部５で相対音量データにより音量調整を受ける。そして、操作部６で設定される音量レベルにより音量調整部７で音量調整されて出力される。【選択図】  図１
2005011432.tif 000002
【特許請求の範囲】
【請求項１】
オーディオデータ毎に特定される相対的な音量調整パラメータを設定する相対音量設定手段と、
前記相対音量設定手段により設定された音量調整パラメータに応じて、対応するオーディオデータ毎に音量調整する音量調整手段とを備えたオーディオ再生装置。
【請求項２】
前記音量調整パラメータは、オーディオデータ毎に対応付けられることを特徴とする請求項１記載のオーディオ再生装置。
【請求項３】
前記音量調整パラメータは、複数のオーディオデータの群に対応付けられることを特徴とする請求項１に記載のオーディオ再生装置。
【請求項４】
前記音声調整パラメータは、オーディオデータ毎で、かつリスト毎に独立に対応付けられることを特徴とする請求項１に記載のオーディオ再生装置。
【発明の詳細な説明】
【０００１】
【発明の属する技術分野】
本発明は、オーディオデータを再生するオーディオ再生装置に関するものである。
【０００２】
【従来の技術】
音楽や音声のオーディオ信号は、再生する機器によって音量調整をするのが一般的である。しかし、オーディオ信号のソースの相違やメディアの相違によって、音量に差が生じることがある。これを解決するために従来のオーディオ再生装置には、出力の切り換えやメディアの識別に応じて、オーディオレベルの相対的な調整を行うものが知られている（特許文献１）。
【０００３】
一方、近年は、使用される記録媒体が多種多様となり、また種々の圧縮技術が実用に供されたりと、オーディオ信号を扱う環境も多様化している。このような中で、例えば、複数の記録媒体を任意に再生できる機器や、複数の記録媒体から再生したオーディオ信号をデジタルデータに変換したり圧縮したりして所望の記録媒体にまとめて記録する機器などもある。
【０００４】
【特許文献１】
特開平１０−２８４９６０号公報（段落００２３及び図１を参照）
【０００５】
【発明が解決しようとする課題】
しかしながら、上記のような機器により、複数の記録媒体からランダムに再生した場合やリッピングした場合、個々のオーディオ信号（オーディオデータ）の絶対的な音量は一致しておらず、場合によっては曲単位で頻繁に音量調整をする必要がある。
【０００６】
本発明は、上記のような問題点を解決するためになされたもので、そのまま再生すると音量が異なる複数のオーディオ信号の音量調整を可能にし、ユーザーが好む音量で聞くことと、その音量を状況に応じて簡単に調整可能にすることを目的とする。
【０００７】
【課題を解決するための手段】
本発明のオーディオ再生装置は、オーディオデータ毎に特定される相対的な音量調整パラメータを設定する相対音量設定手段と、相対音量設定手段により設定された音量調整パラメータに応じて、対応するオーディオデータ毎に音量調整する音量調整手段とを備える。これにより、オーディオデータ毎や所定の単位毎に、きめ細かな音量調整をすることができ、ソースの異なるオーディオデータが混在した場合でも都度音量調整をする必要がない。
【０００８】
【発明の実施の形態】
本発明の請求項１に記載の発明は、オーディオデータ毎に特定される相対的な音量調整パラメータを設定する相対音量設定手段と、前記相対音量設定手段により設定された音量調整パラメータに応じて、対応するオーディオデータ毎に音量調整する音量調整手段とを備えたものである。
【０００９】
また、請求項２に記載の発明は、請求項１記載の発明において、前記音量調整パラメータは、オーディオデータ毎に対応付けられることを特徴とするものである。
【００１０】
また、請求項３に記載の発明は、請求項１記載の発明において、前記音量調整パラメータは、複数のオーディオデータの群に対応付けられることを特徴とするものである。
【００１１】
また、請求項４に記載の発明は、請求項１記載の発明において、前記音声調整パラメータは、オーディオデータ毎で、かつリスト毎に独立に対応付けられることを特徴とするものである。
【００１２】
以上の構成により、オーディオデータ毎に音量調整を必要とせず、利用者の好みに応じた音量で快適に聞くことができる。
【００１３】
以下、本発明の実施の形態について、図面を用いて説明する。
【００１４】
（実施の形態１）
図１は、本発明の実施の形態１によるオーディオ再生装置の構成を示すブロック図である。
【００１５】
図１において、１は音楽や音声のオーディオ信号の圧縮データが記録されている記録媒体、２は記録媒体１から再生に必要なデータを読み取るデータ読取部、３はデータ読取部２からの圧縮データを復号するデコーダ、４はデータ読取部２からの相対音量データを設定する相対音量設定部、５はデコーダ３からのオーディオ信号を相対音量設定部４からの相対音量で音量調節する第１の音量調節部、６は出力する音量を調節するための操作部、７は操作部６の操作に基づき第１の音量調整部５の出力を音量調節する第２の音量調節部である。
【００１６】
以下、図１に示したオーディオ再生装置の動作について説明する。例えば、図２に示すように記録媒体１から３つの音楽データＡ〜Ｃを再生するとする。ここで、音楽データＡ〜Ｃは、楽曲毎のファイルとする。再生及び復号された音楽データＡ〜Ｃは、操作部６で設定された所望の音量で再生されるが、曲（データ）によっては、大きく感じたり、小さく感じたりする。従って、本実施の形態では、音楽データ毎に対応する相対音量調整パラメータを用いて、相対的な音量のばらつきを抑える。
【００１７】
この音量調整パラメータＡ〜Ｃは、各々音楽データＡ〜Ｃと関連付けられて予め記録媒体１に記録されている。よって、音楽データＡ〜Ｃの読み出しとともに相対音量設定部４に設定され、音楽データの再生タイミングに合わせて、第１の音量調節部５で個々に音量を調整することができる。
【００１８】
なお、音楽データと相対音量調整パラメータとを関連付ける方法としては、音楽データに相対音量調整パラメータを特定するためのリンク情報を持たせる、音楽データのヘッダ部などにパラメータ部を設けるなど、種々の態様が存在し得る。
【００１９】
また、本実施の形態において、第１の音量調節部５と第２の音量調節部７とを個別に設けたが、１つに統合して、予め計算によって求めた２つの調整量の重畳結果をもって調整しても構わないし、全てをデジタル処理して出力を得るような構成としても良い。
【００２０】
また、各音量調整パラメータは、記録媒体１に記録する際に、設定してもよし、再生中に再調整して更新するようにしてもよい。図３に、この様な音量調整を行うためのユーザーインターフェースの一例を示す。図３において、３０１は全体的な音量を調整する操作部６に相当するマスタ音量ダイヤル、３０２と３０３は音データ個別の調整を行う相対音量調整ボタンであり、相対音量調整ボタン３０２が音量を大きくし、相対量調整ボタン３０３が音量を小さくする。この相対音量調整ボタン３０２，３０３による調整結果が相対音量調整パラメータに反映される。また、このようなインターフェースは、ダイヤルや押しボタンの他にスライダなどで構成することもできるし、それぞれの組合せも自由である。さらに、さらに音量調整機構を１つだけにし、マスタ音量調整と相対音量調整のいずれを調整するのかをモードによって切り替える構成にすることも可能である。また、ハードウェアとしてのインターフェースでも、ソフトウェアによるグラフィカルなインターフェースでもよい。
【００２１】
（実施の形態２）
図４は、本発明の実施の形態２によるオーディオ再生装置の動作を説明するための概念図である。なお、本実施の形態によるオーディオ再生装置の構成は、図１に示したものと同様である。以下では、相違点のみ説明する。
【００２２】
本実施の形態は、例えば、図４に示すように、記録媒体１から再生する音楽データは、所定のまとまり毎に相対音量調整パラメータを有する。所定のまとまりとは、ＣＤ（コンパクトディスク）などの媒体や番組などの任意の群である。
【００２３】
従って、音楽データＡ１〜Ａｎは、相対音量調整パラメータＡによって、相対的な音量が調整され、音楽データＢ１〜Ｂｎは、相対音量調整パラメータＢによって、相対的な音量が調整される。
【００２４】
このように、本実施の形態では、音楽データ単位に相対音量調整パラメータを有するのではなく、１つの相対音量調整パラメータが複数の音楽データに対応するように構成される。
【００２５】
なお、図４に示した例において、音楽データの再生順番は、規定されるものではなく、音楽データＢ２、Ａ１、というように、群をまたがって再生されても何ら問題はない。その場合、各音楽データは、対応する相対音量調整パラメータに従って調整される。
【００２６】
（実施の形態３）
図５、本発明の実施の形態３によるオーディオ再生装置の動作を説明するための概念図である。なお、本実施の形態によるオーディオ再生装置の構成は、図１に示したものと同様である。以下では、相違点のみ説明する。
【００２７】
本実施の形態は、例えば、図５に示すようなプレイリストによって再生する音楽データが特定される。そして、このプレイリストに基づき記録媒体１から再生する音楽データは、各音楽データ毎に相対音量パラメータを有する。
【００２８】
従って、各プレイリストは、曲名と相対音量パラメータ（図では、パラメータ値としているがファイル名等のリンク先であってもよい）が対に明記される。また、同じ曲（音楽データ）であっても、プレイリストが異なれば、異なる相対音量パラメータを有することができる。
【００２９】
例えば、図５では、プレイリスト１に従って、例えばリストの番号１，２，３の順で再生される際に、対応する相対音量パラメータの値で相対的な音量が調整される。また、プレイリスト２の場合は、そのリストの番号１，２，３の順で再生される際に、対応する相対音量パラメータの値で相対的な音量が調整される。このとき、プレイリスト１の３番目の曲とプレイリスト２の１番目の曲は同じであり、同じ音楽データであるにも関わらず、プレイリスト毎に独立に相対音量パラメータを有する。
【００３０】
このように、本実施の形態では、プレイリストの音楽データ毎に相対音量パラメータを有するので、プレイリスト内に集められた音楽データの相対的な関係によって、音量を自由に微調整することができる。
【００３１】
なお、上記各実施の形態において、本発明をオーディオ再生装置として説明したが、図１に示した構成は、ソフトウェアによって実現することも可能である。その場合、本発明はコンピュータにより実行可能なプログラムとして構成可能である。
【００３２】
また、上記各実施の形態において、オーディオ信号あるいは音楽データという表現を用いたが、音声信号や音声データあってもよい。また、圧縮されたデータであっても非圧縮のデータであってもよい。
【００３３】
また、オーディオ信号のみを扱う機器のみならず、映像と音声を扱う機器のオーディオ信号を扱う部分に本発明を適用可能であることは、言うまでもない。
【００３４】
また、上記各実施の形態において、記録媒体について特に言及しなかったが、半導体メモリ、光ディスク、磁気ディスク、光磁気ディスク、磁気テープなど、如何なる記録媒体であってもよい。
【００３５】
【発明の効果】
以上のように本発明に係るオーディオ再生装置によれば、音楽データ毎や所定のまとまり毎に相対的な音量調整パラメータを設定可能とし、そのパラメータを使用して相対的な音量の調整を行なうので、音楽データ間の音量のずれを吸収し、ユーザーは快適に音楽データの再生を楽しむことができる。
【図面の簡単な説明】
【図１】本発明の実施の形態１によるオーディオ再生装置の構成を示すブロック図
【図２】同オーディオ再生装置の動作を説明するための概念図
【図３】同オーディオ再生装置のインタフェースの例を示す図
【図４】本発明の実施の形態２による同オーディオ再生装置の動作を説明するための概念図
【図５】同実施の形態３による同オーディオ再生装置の動作を説明するための概念図
【符号の説明】
１  記録媒体
２  データ読出部
３  デコーダ
４  相対音量設定部
５、７  音量調整部
６  操作部
３０１  マスタ音量ダイヤル
３０２、３０３  相対音量調整ボタン
【図１】
2005011432.tif 000003
【図２】
2005011432.tif 000004
【図３】
2005011432.tif 000005
【図４】
2005011432.tif 000006
【図５】
2005011432.tif 000007